(57)【要約】【課題】軽量小型の管理機においても、簡単な培土や作溝が出来るように、一軸正逆転耕耘装置を改良して、逆転耕耘爪軸の部分に複数の列の爪座を配置して、逆転耕耘爪軸を外向きのナタ爪とすることにより、培土と作溝の役目を簡単に行わんとする。【解決手段】耕耘装置Ｒを前部に配置し、その後部に車輪１８を配置し、その後部に操作ハンドル９を配置した管理機であって、耕耘装置Ｒは逆転耕耘爪軸３と正転耕耘爪軸１とを内外軸として１軸心上に配置し、逆転耕耘爪軸３上の逆転耕耘爪５を時計方向に回転し、正転耕耘爪軸１上の正転耕耘爪３０を反時計方向に回転する正逆転爪式耕耘装置において、培土作業の際においては、正転耕耘爪軸１の上の正転耕耘爪３０を外して、逆転耕耘爪軸３の上の外向きの逆転耕耘爪として、培土又は溝上げ作業を可能とした。【選択図】図３
2006020561.tif 000002
【特許請求の範囲】
【請求項１】
耕耘装置Ｒを前部に配置し、その後部に車輪１８を配置し、その後部に操作ハンドル９を配置した管理機であって、耕耘装置Ｒは逆転耕耘爪軸３と正転耕耘爪軸１とを内外軸として１軸心上に配置し、逆転耕耘爪軸３上の逆転耕耘爪５を時計方向に回転し、正転耕耘爪１上の正転耕耘爪３０を反時計方向に回転する正逆転爪式耕耘装置において、培土作業の際においては、正転耕耘爪軸１の上の正転耕耘爪３０を外して、逆転耕耘爪軸３の上の外向きの逆転耕耘爪として、培土又は溝上げ作業を可能としたことを特徴とする正逆転爪式耕耘装置。
【請求項２】
請求項１記載の正逆転爪式耕耘装置において、逆転耕耘爪軸３を左右方向の内側である耕耘ケース８の近くに配置し、該逆転耕耘爪軸３の上に、２列の爪座７・２７を配置したことを特徴とする正逆転爪式耕耘装置。
【請求項３】
請求項２記載の正逆転爪式耕耘装置において、該逆転耕耘爪軸３の２列の爪座７・２７には、外向きのナタ爪よりなる逆転耕耘爪を植設し、正転耕耘爪軸１上には、内向きのナタ爪よりなる正転耕耘爪３０を植設したことを特徴とする正逆転爪式耕耘装置。
【発明の詳細な説明】
【技術分野】
【０００１】
本発明は、一軸正逆転耕耘装置を配置した歩行型管理機の培土及び溝上げ機構に関する。
【背景技術】
【０００２】
従来、一軸正逆転耕耘装置に関する技術は公知とされているのである。しかし、従来の一軸正逆転耕耘装置は、車輪よりも後部に耕耘装置を配置した耕耘機等において用いるものが殆どであり、本発明のように車輪よりも前に耕耘装置を配置した管理機において、一軸正逆転耕耘装置を装備した技術は無いのである。
また、従来の管理機や耕耘機における培土や溝上げ等の作業は、培土器や作溝器等等を、耕耘装置の後方に配置して、耕耘装置により耕深した後の土壌を押上ることにより、培土または作溝を行っていたものである。
【特許文献１】特開２０００−２４５２０１号公報
【発明の開示】
【発明が解決しようとする課題】
【０００３】
しかし、管理機は搭載エンジンも低馬力であり、また耕耘作業の中でも軽作業を行うように構成されたものであるので、培土器や作溝器を牽引するには所要馬力が小さすぎるのである。
また、車輪よりも前部に耕耘装置を配置しているので、車輪の後に培土器や作溝機を配置すると、前後の負荷の大小の変化により、車輪が浮いた状態が発生して、車輪による前進駆動力が無くなるというような不具合が有ったのである。
【０００４】
本発明においては、軽量小型の管理機においても、簡単な培土や作溝が出来るように、一軸正逆転耕耘装置を改良して、逆転耕耘爪軸の部分に複数の列の爪座を配置して、逆転耕耘爪軸を外向きのナタ爪とすることにより、培土と作溝の役目を簡単に行わんとするものである。
【課題を解決するための手段】
【０００５】
本発明の解決しようとする課題は以上の如くであり、次にこの課題を解決するための手段を説明する。
【０００６】
請求項１においては、耕耘装置Ｒを前部に配置し、その後部に車輪１８を配置し、その後部に操作ハンドル９を配置した管理機において、耕耘装置Ｒは逆転耕耘爪軸３と正転耕耘爪軸１とを内外軸として１軸心上に配置し、逆転耕耘爪軸３上の逆転耕耘爪５を時計方向に回転し、正転耕耘爪軸１上の正転耕耘爪３０を反時計方向に回転する正逆転爪式耕耘装置において、培土作業の際においては、外側の正転耕耘爪３０を外して、内側の逆転耕耘爪５のみとして、培土又は溝上げ作業を可能としたものである。
【０００７】
請求項２においては、請求項１記載の正逆転爪式耕耘装置において、逆転耕耘爪軸３を左右方向の内側である耕耘ケース８の近くに配置し、該逆転耕耘爪軸３の上に、２列の爪座７・２７を配置したものである。
【０００８】
請求項３においては、請求項２記載の正逆転爪式耕耘装置において、該逆転耕耘爪軸３の２列の爪座７・２７には、外向きのナタ爪よりなる逆転耕耘爪５を植設し、正転耕耘爪軸１上には、内向きのナタ爪よりなる正転耕耘爪３０を植設したものである。
【発明の効果】
【０００９】
本発明の効果としては、以下に示すような効果を奏する。
請求項１の如く構成したことにより、従来の管理機や耕耘機のように、後部に培土器や作溝器を装着することなく、逆転耕耘爪軸３の回転のみにより、土壌を撥ね上げて、培土や作溝が可能となったものである。
これにより、低馬力のエンジンを搭載した管理機でも、培土や作溝を行うことが可能となったものである。
【００１０】
請求項２の如く構成したので、逆転耕耘爪軸３上に、複数列の逆転耕耘爪５を植設することが可能となり、培土や作溝を行う場合において、溝の幅を大きくすることが可能となったものである。
【００１１】
請求項３の如く構成したので、耕耘ケース８の近い側に外向きのナタ爪により構成した逆転耕耘爪５を配置して、外向きに土壌を撥ね上げることが可能となり、培土や作溝が可能となったものである。
【発明を実施するための最良の形態】
【００１２】
次に本発明の実施の形態を説明する。
図１は、本発明の一軸正逆転耕耘装置を具備した管理機の側面図、
図２は、本発明の一軸正逆転耕耘装置により通常の耕耘作業を行う場合の爪の配置を示す図面、
図３は、本発明の一軸正逆転耕耘装置において、培土や作溝を行う場合の爪の配置を示す図面、
図４は、逆転耕耘爪軸３と逆転耕耘爪５の部分の拡大後面図、
図５は、逆転耕耘爪軸３の上に、単列の爪座を配置した状態の後面断面図である。
【００１３】
図１において、本発明の一軸正逆転耕耘装置の装着されている管理機について説明する。
エンジンＥを中心に構成されており、該エンジンＥの下方に側面視で『へ』の字型に構成したミッションケース２が配置されている。該ミッションケース２の前端に、本発明の耕耘装置Ｒを構成する一軸正逆転耕耘装置が配置されている。また、ミッションケース２の後端の位置に車軸６が設けられており、該車軸６に車輪１８が固定されている。
【００１４】
エンジンＥの後方より操作ハンドル９が突設されており、該操作ハンドル９の下方には、変速レバー２０が後方に向けて突設されている。エンジンＥからミッションケース２へはベルト伝動により動力が伝達されている。
耕耘装置Ｒは、正転耕耘爪軸１と逆転耕耘爪軸３と外向きのナタ爪よりなる逆転耕耘爪５と内向きのナタ爪よりなる正転耕耘爪３０等により構成されている。耕耘装置Ｒの前方に耕深調節輪２１が突設されて、高さ調整を可能としている。
また、外向きのナタ爪よりなる逆転耕耘爪５や内向きのナタ爪よりなる正転耕耘爪３０の回転周囲を被覆する耕耘カバー２２が設けられている。
【００１５】
図５においては、一軸正逆転耕耘装置の基本的な駆動機構が図示されている。
耕耘ケース８の内部において、正転耕耘爪軸１の上に固設されたスプロケット１４と、上方の中間軸１６上のスプロケット１３にチェーン１７により動力が伝達され、該スプロケット１３の回転が中間軸１６の上の平歯車１１から、逆転耕耘爪軸３の上の平歯車１０に、逆転耕耘爪軸３との逆転回転が伝達されるように構成されている。
【００１６】
前記正転耕耘爪軸１は内側の中実軸により構成されており、逆転耕耘爪軸３は、該正転耕耘爪軸１の外周に遊嵌された筒軸として構成されている。該逆転耕耘爪軸３は従来は狭い幅のものであり、１列の爪座のみが設けられており、耕耘ケース８の下方の残耕を処理する為の直刀２３と、普通爪１５等が植設されていたのである。
【００１７】
また、正転耕耘爪軸１は、逆転耕耘爪軸３から露出した部分に正転爪筒軸２６が延設されており、該正転爪筒軸２６に、内向きのナタ爪よりなる正転耕耘爪３０と、外向きのナタ爪よりなる逆転耕耘爪５が、植設されていたのである。
これらの、外向きのナタ爪よりなる逆転耕耘爪５と内向きのナタ爪よりなる正転耕耘爪３０により、全体的に耕耘面を平坦にした状態の通常の耕耘が行われていたのである。
【００１８】
図２においては、通常の耕耘を行う状態の一軸正逆転耕耘装置の構成を図示している。この場合には、正転耕耘爪軸１の上に、正転爪筒軸２６を嵌装して連結ピン４８により連結状態としている。そして正転爪筒軸２６の上には、全ての爪座に内向きのナタ爪よりなる正転耕耘爪３０が植設されているのである。
そして、逆転耕耘爪軸３の上に構成配置された２列の爪座７・２７には、外向きのナタ爪よりなる逆転耕耘爪５と、普通爪１５が植設されているのである。該２列の爪座７・２７の部分には、内向きのナタ爪よりなる正転耕耘爪３０は植設されていないのである。
【００１９】
図３においては、培土や作溝を行う場合の構成について説明している。
この場合には、正転耕耘爪軸１と正転爪筒軸２６の間を、連結ピン４８を外すことにより離脱させている。そして、正転爪筒軸２６と内向きのナタ爪よりなる正転耕耘爪３０を取り外すのである。
正転耕耘爪軸１は、耕耘ケース８の内部まで軸受け支持されているので取り外すことは出来ないが、正転爪筒軸２６と内向きのナタ爪よりなる正転耕耘爪３０は簡単に取り外すことが出来るのである。
【００２０】
このように、連結ピン４８により正転爪筒軸２６と内向きのナタ爪よりなる正転耕耘爪３０を取り外すことにより、狭い耕耘幅で培土と作溝が可能となるのである。
そして、逆転耕耘爪軸３に構成した２列の爪座７・２７には、外向きのナタ爪よりなる逆転耕耘爪５と普通爪１５が植設されて、逆転耕耘された土壌は、左右に撥ね飛ばされて、培土と作溝の役目を行うのである。
【図面の簡単な説明】
【００２１】
【図１】本発明の一軸正逆転耕耘装置を具備した管理機の側面図。
【図２】本発明の一軸正逆転耕耘装置により通常の耕耘作業を行う場合の爪の配置を示す図面。
【図３】本発明の一軸正逆転耕耘装置において、培土や作溝を行う場合の爪の配置を示す図面。
【図４】逆転耕耘爪軸３と逆転耕耘爪５の部分の拡大後面図。
【図５】逆転耕耘爪軸３の上に、単列の爪座を配置した状態の後面断面図。
【符号の説明】
【００２２】
Ｒ  耕耘装置
１  正転耕耘爪軸
２  ミッションケース
３  逆転耕耘爪軸
５  外向きのナタ爪よりなる逆転耕耘爪
６  車軸
７・２７  ２列の爪座
８  耕耘ケース
９  操作ハンドル
３０  内向きのナタ爪よりなる正転耕耘爪
４８  連結ピン
【図１】
2006020561.tif 000003
【図２】
2006020561.tif 000004
【図３】
2006020561.tif 000005
【図４】
2006020561.tif 000006
【図５】
2006020561.tif 000007